【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
第１コンテンツファイルを第２コンテンツファイルにインポートする装置において、
前記第１コンテンツファイルに含まれた情報に基づいて、前記第１コンテンツファイルに含まれたコンテンツ部分それぞれの使用規則を決定する使用規則決定部と、
前記決定された使用規則に従う前記第２コンテンツファイルを生成するコンテンツファイル生成部と、を備えることを特徴とする装置。
【請求項２】
前記情報は、前記コンテンツ部分それぞれの使用制限情報であり、
前記使用規則決定部は、前記使用制限情報のそれぞれに対応する前記使用規則を決定することを特徴とする請求項１に記載の装置。
【請求項３】
前記使用制限情報のうち少なくとも一つの使用制限情報は、前記コンテンツ部分のうち少なくとも一つのコンテンツ部分のコピー回数を制限する情報であることを特徴とする請求項２に記載の装置。
【請求項４】
前記使用制限情報のうち少なくとも一つの使用制限情報は、前記コンテンツ部分のうち少なくとも一つの無制限再配布の禁止いかんを示す情報であることを特徴とする請求項２に記載の装置。
【請求項５】
前記情報に基づいて、前記コンテンツ部分それぞれを暗号化する暗号化部をさらに含んで、
前記コンテンツファイル生成部は、前記使用規則及び前記暗号化されたコンテンツ部分を含む前記第２コンテンツファイルを生成することを特徴とする請求項１に記載の装置。
【請求項６】
前記情報に基づいて、前記コンテンツ部分それぞれの使用範囲を決定する使用範囲決定部をさらに備え、
前記使用規則決定部は、前記決定された使用範囲ごとに前記コンテンツ部分それぞれの使用規則を決定することを特徴とする請求項１に記載の装置。
【請求項７】
前記使用範囲決定部は、前記コンテンツ部分それぞれの使用範囲をいずれか一つのデバイスに限定するデバイス範囲と決定するか、またはいずれか一つのドメインに含まれたあらゆるデバイスに限定するドメイン範囲と決定し、
前記使用規則決定部は、前記デバイス範囲と決定されたコンテンツ部分に対しては、いずれか一つのデバイスでの使用規則を決定し、前記ドメイン範囲と決定されたコンテンツ部分に対しては、いずれか一つのドメインでの使用規則を決定することを特徴とする請求項６に記載の装置。
【請求項８】
前記決定された使用範囲のそれぞれに対応する暗号化キーでコンテンツキーのそれぞれを暗号化する第１暗号化部と、
前記それぞれのコンテンツキーで前記コンテンツ部分を暗号化する第２暗号化部とを備え、
前記コンテンツファイル生成部は、前記使用規則、前記暗号化されたコンテンツキー及び前記暗号化されたコンテンツ部分を含む前記第２コンテンツファイルを生成することを特徴とする請求項６に記載の装置。
【請求項９】
前記決定された使用規則それぞれを含む前記コンテンツ部分それぞれのライセンスを生成して発給するライセンス発給部をさらに備え、
前記コンテンツファイル生成部は、前記発給されたライセンスを含む前記第２コンテンツファイルを生成することを特徴とする請求項１に記載の装置。
【請求項１０】
前記ライセンスのそれぞれが発給される時点を測定する測定部をさらに備え、
前記ライセンス発給部は、前記測定された時点をさらに含むライセンスを生成して発給することを特徴とする請求項９に記載の装置。
【請求項１１】
前記決定された使用規則のそれぞれに電子署名を行う電子署名部と、
前記電子署名された使用規則を含む前記コンテンツ部分それぞれのライセンスを生成して発給するライセンス発給部をさらに備えて、
前記コンテンツファイル生成部は、前記発給されたライセンスを含む前記第２コンテンツファイルを生成することを特徴とする請求項１に記載の装置。
【請求項１２】
前記第１コンテンツファイルは、所定のＤＲＭシステムの規則に従わず、前記第２コンテンツファイルは、前記所定のＤＲＭシステムの規則に従うことを特徴とする請求項１に記載の装置。
【請求項１３】
第１コンテンツファイルを第２コンテンツファイルにインポートする方法において、
（ａ）前記第１コンテンツファイルに含まれた第１情報に基づいて、前記第１コンテンツファイルに含まれた第１コンテンツ部分の使用規則を決定する段階と、
（ｂ）前記第１コンテンツファイルに含まれた第２情報に基づいて、前記第１コンテンツファイルに含まれた第２コンテンツ部分の使用規則を決定する段階と、
（ｃ）前記（ａ）段階で決定された使用規則及び前記（ｂ）段階で決定された使用規則に従う前記第２コンテンツファイルを生成する段階と、を含むことを特徴とする方法。
【請求項１４】
前記第１情報は、前記第１コンテンツ部分の使用制限情報であり、前記第２情報は、前記第２コンテンツ部分の使用制限情報であり、
前記（ａ）段階は、前記第１コンテンツ部分の使用制限情報に対応する前記使用規則を決定し、
前記（ｂ）段階は、前記第２コンテンツ部分の使用制限情報に対応する前記使用規則を決定することを特徴とする請求項１３に記載の方法。
【請求項１５】
（ｄ）前記第１情報に基づいて、前記第１コンテンツ部分を選択的に暗号化する段階と、
（ｅ）前記第１情報に基づいて、前記第２コンテンツ部分を選択的に暗号化する段階とをさらに含み、
前記（ｃ）段階は、前記（ａ）段階で決定された使用規則、前記（ｂ）段階で決定された使用規則、前記（ｄ）段階で暗号化された第１コンテンツ部分、及び前記（ｅ）段階で暗号化された第２コンテンツ部分を含む前記第２コンテンツファイルを生成することを特徴とする請求項１３に記載の方法。
【請求項１６】
（ｆ）前記第１情報に基づいて、前記第１コンテンツ部分の使用範囲を決定する段階と、
（ｇ）前記第２情報に基づいて、前記第２コンテンツ部分の使用範囲を決定する段階とをさらに含み、
前記（ａ）段階は、前記（ｆ）段階で決定された使用範囲別に前記第１コンテンツ部分の使用規則を決定し、
前記（ｂ）段階は、前記（ｇ）段階で決定された使用範囲別に前記第２コンテンツ部分の使用規則を決定することを特徴とする請求項１３に記載の方法。
【請求項１７】
（ｈ）前記（ａ）段階で決定された使用規則を含む前記第１コンテンツのライセンスを生成して発給する段階と、
（ｉ）前記（ｂ）段階で決定された使用規則を含む前記第２コンテンツのライセンスを生成して発給する段階とをさらに含み、
前記（ｃ）段階は、前記（ｈ）段階で発給されたライセンス、及び前記（ｉ）段階で発給されたライセンスを含む前記第２コンテンツファイルを生成することを特徴とする請求項１３に記載の方法。
【請求項１８】
第１コンテンツファイルを第２コンテンツファイルにインポートする方法をコンピュータで実行させるためのプログラムを記録したコンピュータで読み取り可能な記録媒体において、
（ａ）前記第１コンテンツファイルに含まれた第１情報に基づいて、前記第１コンテンツファイルに含まれた第１コンテンツ部分の使用規則を決定する段階と、
（ｂ）前記第１コンテンツファイルに含まれた第２情報に基づいて、前記第１コンテンツファイルに含まれた第２コンテンツ部分の使用規則を決定する段階と、
（ｃ）前記（ａ）段階で決定された使用規則及び前記（ｂ）段階で決定された使用規則に従う前記第２コンテンツファイルを生成する段階と、を含むことを特徴とする方法をコンピュータで実行させるためのプログラムを記録したコンピュータで読み取り可能な記録媒体。
【請求項１９】
暗号化されたコンテンツ部分と、
前記コンテンツ部分それぞれのライセンスとを含み、
前記ライセンスは、前記コンテンツ部分それぞれの暗号化されたコンテンツキー及び前記コンテンツ部分それぞれの使用規則を含むコンテンツファイルを記録したことを特徴とするコンピュータで読取可能な記録媒体。
【請求項２０】
前記ライセンスは、前記コンテンツ部分を識別するためのIDをさらに含むコンテンツファイルを記録したことを特徴とする請求項１９に記載のコンピュータで読取可能な記録媒体。
【請求項２１】
前記ライセンスは、前記ライセンスそれぞれの発給時点をさらに含むコンテンツファイルを記録したことを特徴とする請求項１９に記載のコンピュータで読取可能な記録媒体。
【請求項２２】
暗号化されたコンテンツ部分及び前記コンテンツ部分それぞれのライセンスを含むコンテンツファイルを復号化する方法において、
前記コンテンツファイルを受信する段階と、
前記ライセンスの暗号化されたコンテンツキーに対する復号化を試みる段階と、
前記復号化によりコンテンツキーが復元されれば、前記コンテンツキーで前記暗号化されたコンテンツ部分を復号化する段階と、
前記ライセンスの使用規則によって、前記復号化により復元されたコンテンツ部分を使用する段階と、を含むことを特徴とする方法。